(57)【要約】      （修正有）【課題】エスカレーターのオイルパンに堆積した塵埃堆積物をより確実に除去するエスカレーターのオイルパン清掃装置を提供する。【解決手段】オイルパンの表面に沿って且つ幅方向両端部に延設され断面コ字形の開口部を対向して取付けられるガイドレール１２a,１２ｂと、前記ガイドレールに両端部をガイドされ前記ロープ３a、３ｂの牽引により前記オイルパン４の表面を摺動する清掃体５とを備えることを特徴とする。【選択図】図２
2006182513.tif 000002
【特許請求の範囲】
【請求項１】
エスカレーターの上部機械室から下部機械室に延在するオイルパンと、前記オイルパンの表面に沿って上下方向に摺動する清掃体と、前記清掃体をオイルパンの表面に沿って上下方向に牽引するロープと、前記ロープの上端部を前記上部機械室に牽引自在に係止する上部係止具と、前記ロープの下端部を前記下部機械室に牽引自在に係止する下部係止具とを有するエスカレーターのオイルパン清掃装置において、前記オイルパンの表面に沿って且つ幅方向両端部に延設され断面コ字形の開口部を対向して取付けられるガイドレールと、前記ガイドレールに両端部をガイドされ前記ロープの牽引により前記オイルパンの表面を摺動する清掃体とを備えることを特徴とするエスカレーターのオイルパン清掃装置。
【請求項２】
エスカレーターの上部機械室から下部機械室に延在するオイルパンと、前記オイルパンの表面に沿って上下方向に摺動する清掃体と、前記清掃体をオイルパンの表面に沿って上下方向に牽引するロープと、前記ロープの上端部を前記上部機械室に牽引自在に係止する上部係止具と、前記ロープの下端部を前記下部機械室に牽引自在に係止する下部係止具とを有するエスカレーターのオイルパン清掃装置において、前記オイルパンの表面に沿って且つ幅方向両端部に上部機械室の直線部から中間の傾斜部及び下部機械室の直線部まで連続的に延設され断面コ字形の開口部を対向して取付けられるガイドレールと、前記ガイドレールの断面コ字形内側で下部機械室の直線部分から中間の傾斜部に移行する箇所近傍に取付けられ前記ロープにテンションを加える下部テンションローラと、前記ガイドレールの略コ字状内側で中間の傾斜部から上部機械室の直線部に移行する箇所近傍に取付けられ前記ロープにテンションを加える上部テンションローラと、前記ガイドレールに両端部をガイドされ前記ロープの牽引により前記オイルパンの表面を摺動する清掃体とを備えることを特徴とするエスカレーターのオイルパン清掃装置。
【請求項３】
エスカレーターの上部機械室から下部機械室に延在するオイルパンと、前記オイルパンの表面に沿って上下方向に摺動する清掃体と、前記清掃体をオイルパンの表面に沿って上下方向に牽引するロープと、前記ロープの上端部を前記上部機械室に牽引自在に係止する上部係止具と、前記ロープの下端部を前記下部機械室に牽引自在に係止する下部係止具とを有するエスカレーターのオイルパン清掃装置において、前記オイルパンの表面に沿って且つ幅方向両端部に上部機械室の直線部から中間の傾斜部及び下部機械室の直線部まで連続的に延設され断面コ字形の開口部を対向して取付けられるガイドレールと、前記ガイドレールの断面コ字形内側で下部機械室の直線部分から中間の傾斜部に移行する直前部に取付けられ前記ロープにテンションを加える下部テンションローラと、前記ガイドレールの略コ字状内側で中間の傾斜部から上部機械室の直線部に移行する直後部に取付けられ前記ロープにテンションを加える上部テンションローラと、前記ガイドレールに両端部をガイドされ前記ロープの牽引により前記オイルパンの表面を摺動する清掃体とを備えることを特徴とするエスカレーターのオイルパン清掃装置。
【請求項４】
請求項２又は３の記載において、前記清掃体は、両端部にそれぞれ前記ガイドレールの断面コ字形開口部内に転動可能に内設するガイドローラを有し、前記ガイドローラの外方に上部テンションローラの溝及び下部テンションローラに係合する前記ロープと接続することを特徴とするエスカレーターのオイルパン清掃装置。
【請求項５】
請求項１、２、３又は４の記載において、前記ロープの上端部は、上部機械室に設置される上部巻胴に巻付けられ、前記ロープの下端部は、下部機械室に設置される下部巻胴に巻付けられ、前記上部巻胴と下部巻胴は、上部駆動モーターと下部駆動モーターにより駆動されることを特徴とするエスカレーターのオイルパン清掃装置。
【発明の詳細な説明】
【技術分野】
【０００１】
本発明はエスカレーターのオイルパンの清掃装置に関する。
【背景技術】
【０００２】
従来のエスカレーターのオイルパンの清掃装置には、清掃体の上下にそれぞれ引き上げ用条体と引き下げ用条体とを締結し、引き上げ用条体を前記上部機械室に、引き下げ用条体を前記下部機械室にそれぞれ牽引自在に係止した構成のエスカレーターのオイルパン清掃装置がある（例えば，特許文献１参照。）。
【０００３】
【特許文献１】実開平６−６３５６５号公報
【発明の開示】
【発明が解決しようとする課題】
【０００４】
上述した従来のエスカレーターのオイルパン清掃装置では、清掃体を案内するガイドレールが無いため引き上げ用条体や引き下げ用条体の巻取り具合によっては清掃体がオイルパンの幅方向に移動しやすく、更に清掃体をオイルパンの上下方向（長手方向）に対し直角に保つことが困難で塵埃堆積物の取り残しが発生する課題があった。
【０００５】
また，清掃体をオイルパンに沿って接触しながら上下に移動（摺動）させるための引き上げ用条体と引き下げ用条体は、テンションローラ等により塵埃体積物を収集可能な押付力で清掃体をオイルパンに接触させ得る構成となっていないため塵埃堆積物の取り残しが発生する課題がある。
【０００６】
本発明は、このような従来の構成が有していた課題を解決しようとするものであり、エスカレーターのオイルパンに堆積した塵埃堆積物をより確実に除去できるエスカレーターのオイルパン清掃装置を提供することを目的とするものである。
【課題を解決するための手段】
【０００７】
上記の課題を解決するために、本願の請求項１の発明は、エスカレーターの上部機械室から下部機械室に延在するオイルパンと、前記オイルパンの表面に沿って上下方向に摺動する清掃体と、前記清掃体をオイルパンの表面に沿って上下方向に牽引するロープと、前記ロープの上端部を前記上部機械室に牽引自在に係止する上部係止具と、前記ロープの下端部を前記下部機械室に牽引自在に係止する下部係止具とを有するエスカレーターのオイルパン清掃装置において、前記オイルパンの表面に沿って且つ幅方向両端部に延設され断面コ字形の開口部を対向して取付けられるガイドレールと、前記ガイドレールに両端部をガイドされ前記ロープの牽引により前記オイルパンの表面を摺動する清掃体とを備えることを特徴とする。
【０００８】
また、本願の請求項２の発明は、エスカレーターの上部機械室から下部機械室に延在するオイルパンと、前記オイルパンの表面に沿って上下方向に摺動する清掃体と、前記清掃体をオイルパンの表面に沿って上下方向に牽引するロープと、前記ロープの上端部を前記上部機械室に牽引自在に係止する上部係止具と、前記ロープの下端部を前記下部機械室に牽引自在に係止する下部係止具とを有するエスカレーターのオイルパン清掃装置において、前記オイルパンの表面に沿って且つ幅方向両端部に上部機械室の直線部から中間の傾斜部及び下部機械室の直線部まで連続的に延設され断面コ字形の開口部を対向して取付けられるガイドレールと、前記ガイドレールの断面コ字形内側で下部機械室の直線部分から中間の傾斜部に移行する箇所近傍に取付けられ前記ロープにテンションを加える下部テンションローラと、前記ガイドレールの略コ字状内側で中間の傾斜部から上部機械室の直線部に移行する箇所近傍に取付けられ前記ロープにテンションを加える上部テンションローラと、
前記ガイドレールに両端部をガイドされ前記ロープの牽引により前記オイルパンの表面を摺動する清掃体とを備えることを特徴とする。
【０００９】
また、本願の請求項３の発明は、エスカレーターの上部機械室から下部機械室に延在するオイルパンと、前記オイルパンの表面に沿って上下方向に摺動する清掃体と、前記清掃体をオイルパンの表面に沿って上下方向に牽引するロープと、前記ロープの上端部を前記上部機械室に牽引自在に係止する上部係止具と、前記ロープの下端部を前記下部機械室に牽引自在に係止する下部係止具とを有するエスカレーターのオイルパン清掃装置において、前記オイルパンの表面に沿って且つ幅方向両端部に上部機械室の直線部から中間の傾斜部及び下部機械室の直線部まで連続的に延設され断面コ字形の開口部を対向して取付けられるガイドレールと、前記ガイドレールの断面コ字形内側で下部機械室の直線部分から中間の傾斜部に移行する直前部に取付けられ前記ロープにテンションを加える下部テンションローラと、前記ガイドレールの略コ字状内側で中間の傾斜部から上部機械室の直線部に移行する直後部に取付けられ前記ロープにテンションを加える上部テンションローラと、前記ガイドレールに両端部をガイドされ前記ロープの牽引により前記オイルパンの表面を摺動する清掃体とを備えることを特徴とする。
【００１０】
また、本願の請求項４の発明は、請求項２又は３の記載において、前記清掃体は、両端部にそれぞれ前記ガイドレールの断面コ字形開口部内に転動可能に内設するガイドローラを有し、前記ガイドローラの外方に上部テンションローラの溝及び下部テンションローラに係合する前記ロープと接続することを特徴とする。
【００１１】
また、本願の請求項５の発明は、請求項１、２、３又は４の記載において、前記ロープの上端部は、上部機械室に設置される上部巻胴に巻付けられ、前記ロープの下端部は、下部機械室に設置される下部巻胴に巻付けられ、前記上部巻胴と下部巻胴は、上部駆動モーターと下部駆動モーターにより駆動されることを特徴とする。
【発明の効果】
【００１２】
上述したように、本発明によれば、エスカレーターのオイルパンに堆積した塵埃堆積物をより確実に除去し、清掃作業の効率を向上させることができるエスカレーターのオイルパン清掃装置を提供できる。
【発明を実施するための最良の形態】
【００１３】
以下、本発明の実施の形態を図１から図４に基づいて説明する。
図１は、本発明の一実施例であるエスカレーターのオイルパン清掃装置の側面図である。図２は、本発明の一実施例であるエスカレーターのオイルパン清掃装置の斜視図である。図３は、本発明の一実施例であるエスカレーターのオイルパン清掃装置のガイドレール間にガイドされて配置された清掃体の正面図である。
図４は、図３の部分拡大図である。
【００１４】
図１から図４において、エスカレーターは、上部機械室１と下部機械室７を有し、無端状に配置されたエスカレーターのステップ（踏板）の下にオイルパン４が、配置されている。
オイルパン４の表面（上面）に沿って且つその両端部には、前記下部機械室７の直線部分から中間の傾斜部及び前記上部機械室１の直線部分まで連続的に延設され、断面形状が略コ字状（断面コ字形）で、その開口部が互いに対向してそれぞれのガイドレール１２ａ，１２ｂが設置されている。
【００１５】
この２本のガイドレール１２ａ，１２ｂのそれぞれの断面コ字形の内側には、下部機械室７の直線部分から中間の傾斜部に接続される直前に下部テンションローラ１１ａ，１１ｂが回転可能に取付けられている。また、この中間の傾斜部から上部機械室１の直線部分に接続される直後に上部テンションローラ６ａ，６ｂが回転可能に取付けられている。
また，上部機械室１には，２本のガイドレール１２ａ，１２ｂの延長方向に２個の上部巻胴２ａ，２ｂが回転可能に載置され、この上部巻胴２ａ，２ｂは上部駆動モーター１３に接続されている。
【００１６】
また，下部機械室７にも同様に，２本のガイドレール１２ａ，１２ｂの延長方向に２個の下部巻胴１０ａ，１０ｂが回転可能に載置され、この下部巻胴１０ａ，１０ｂは下部駆動モーター１４に接続されている。
また、上部駆動モーター１３と下部駆動モーター１４は制御装置１５により上昇及び下降方向並びに回転速度を自動で制御される。
【００１７】
ワイヤーロープ３ａ、３ｂは、上端を上部巻胴２ａ、２ｂに巻付けられ、ガイドレール１２ａ，１２ｂの断面コ字形の内側に配置された上部テンションローラ６ａ、６ｂに設けられた上部テンションローラ溝と係合されることにより案内され、適度な張力（テンション）を持ち、下端を清掃体５と締結している。
【００１８】
ワイヤーロープ３ａ、３ｂは、下端を下部巻胴１０ａ、１０ｂに巻付けられ、ガイドレール１２ａ，１２ｂの断面コ字形の内側に配置された下部テンションローラ１１ａ、１１ｂに設けられた下部テンションローラ溝１１ｃと係合されることにより案内され、適度な張力（テンション）を持ち、上端を清掃体５と締結している。
【００１９】
清掃体５は、両端部にＬ字状の固定金具を備え、この固定金具に一端を固着した軸及びこの軸に転動可能に軸支されたガイドローラ８a、８ｂを備えている。
このガイドローラ８a、８ｂは、前記ガイドレール１２ａ、１２ｂの断面コ字形の内側に挿入して配置され、ガイドレール１２ａ，１２ｂによりガイドされる。
そのガイドローラ８a、８ｂの軸の他端は、引上げ用のワイヤーロープ３ａ、３ｂと接続されている。
【００２０】
上述のように，本実施形態のエスカレーターのオイルパン清掃装置においては，前記制御装置１５により、前記上部駆動モーター１３と前記下部駆動モーター１４の回転を同時に回転制御して、清掃体５のオイルパン４上の摺動により、塵埃堆積物を除去することができる。
即ち、上部駆動モーター１３と下部駆動モーター１４の回転を上昇回転させると、上部巻胴２ａ，２ｂ及び下部巻胴１０ａ，１０ｂが同時に上昇回転し、ワイヤーロープ３ａ，３ｂの上端側が上部巻胴２ａ，２ｂに巻取られ、ワイヤーロープ３ａ，３ｂの下端側が下部巻胴１０ａ，１０ｂから送り出され、ワイヤーロープ３ａ，３ｂに接続されている清掃体５もワイヤーロープ３ａ，３ｂの上昇に従属して上昇し、前記オイルパン４の上に堆積した図示しない塵埃堆積物を集め清掃しながら上部機械室１に到達する。
上部機械室１に集積した図示しない塵埃堆積物を除去することでオイルパン４の清掃が完了する。
また，下降運転による清掃は上述の逆動作により達成される。
【００２１】
オイルパンの清掃装置のワイヤーロープ３ａ，３ｂは、上端を上部巻胴２ａ，２ｂに巻付けられ、下端を前記下部巻胴１０ａ，１０ｂに巻付けられていて、２本のガイドレール１２ａ，１２ｂの断面コ字形の開口部が互いに向き合って配置された上部テンションローラ６ａ，６ｂのテンションローラ溝と係合し、前記下部テンションローラ１１ａ，１１ｂに設けられた下部テンションローラ溝１１ｃと係合し、適度な張力を持って設置されているので、清掃体５をオイルパン４に適度な押付力で接触させることが可能なため、オイルパン４上の塵埃堆積物を確実に除去することができる。
【００２２】
また，ワイヤーロープ３ａ，３ｂと係合回転する前記上部テンションローラ６ａ、６ｂには、上部テンションローラ溝が設けてあり，前記下部テンションローラ１１ａ，１１ｂにも同様に前記下部テンションローラ溝１１ｃが設けてあるため，前記ワイヤーロープ３ａ，３ｂは確実に係合牽引される。
【００２３】
このように構成した本発明の実施例によれば、前記オイルパン４の表面に沿って且つ幅方向両端部に下部機械室７の直線部分から中間の傾斜部及び上部機械室１の直線部分まで連続的に延設され断面コ字形の開口部が互いに対向している断面コ字形ガイドレール１２ａ、１２ｂを備え、ガイドレールの断面コ字形の開口部に両端部をガイドされた清掃体５を配置しているため、清掃体５の幅方向の移動を規制でき、オイルパン４に堆積された塵埃堆積物をオイルパンの幅方向での取り残しを防止することができる。
【００２４】
また、前記清掃体５、は２本のガイドレールの断面コ字形の開口内側に転動可能なガイドローラ８a,８ｂを備え、かつ、清掃体５の両端に前記下部テンションローラ１１a、１１ｂ及び上部テンションローラ６a、６ｂと係合しながら牽引自在に係止した２本のワイヤーロープ３a、３ｂを取付け、清掃掃体５をオイルパン４に適度な押付力で接触させることができることにより、塵埃堆積物を確実に除去することがでる。
【００２５】
また、前記２本のワイヤーロープ３a、３ｂの上端は、上部機械室１に設置された２個の上部巻胴２a、２ｂに巻付けられ、下端は下部機械室７に設置された２個の下部巻胴１０a、１０ｂに巻付けられ、上部巻胴２a、２ｂと下部巻胴１０a、１０ｂを同時に駆動可能な上部駆動モーター１３と下部駆動モーター１４を備えたことにより，自動的に塵埃堆積物を除去することが可能となり，清掃作業の効率を向上させることができる。
【００２６】
更に、このように構成した本発明の実施例によれば、エスカレーターにおけるオイルパン４の清掃作業がステップ等を取外すことなく、いつでもでき、また、ステップ等を取外すことなく常時、このオイルパン清掃装置を装備しておくことができる。
【図面の簡単な説明】
【００２７】
【図１】本発明の一実施例であるエスカレーターのオイルパン清掃装置の側面図
【図２】本発明の一実施例であるエスカレーターのオイルパン清掃装置の斜視図
【図３】本発明の一実施例であるエスカレーターのオイルパン清掃装置のガイドレール間にガイドされて配置された清掃体の正面図
【図４】図３の部分拡大図
【符号の説明】
【００２８】
１  上部機械室、  ２ａ、２ｂ  上部巻胴、  ３ａ、３ｂ  ワイヤーロープ、
４  オイルパン、  ５  清掃体、  ６ａ、６ｂ  上部テンションローラ、
７  下部機械室、  ８ａ、８ｂ  ガイドローラ、  ９  ステップ、
１０ａ、１０ｂ  下部巻胴、  １１ａ、１１ｂ  下部テンションローラ、
１２ａ、１２ｂ  ガイドレール、  １２ｃ  ガイドレール下部転動面、
１２ｄ  ガイドレール上部転動面、１３  上部駆動モーター、
１４  下部駆動モーター、  １５  制御装置
【図１】
2006182513.tif 000003
【図２】
2006182513.tif 000004
【図３】
2006182513.tif 000005
【図４】
2006182513.tif 000006